【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
検体に含まれる標的の吸着または前記標的との反応に応じて変化する検出信号を出力する検出信号出力部と、
前記検出信号に対する基準信号であるリファレンス信号を出力するリファレンス信号出力部と、
前記検出信号および前記リファレンス信号をそれぞれ複数の信号に分岐する分岐部と、
前記検出信号出力部と前記分岐部との間に位置し、前記検出信号出力部からの前記検出信号を増幅する第１信号増幅部と、
前記検出信号から分岐された信号と前記リファレンス信号から分岐された信号とからヘテロダイン方式によって第１計測信号を得る第１計算部、および、前記検出信号から分岐された他の信号と前記リファレンス信号から分岐された他の信号とからヘテロダイン方式によって第２計測信号を得る第２計算部、を含む計算部と、
前記第１計測信号から２つの第１位相変化候補値を算出し、そのうちの一方を第１位相変化値と判断し、前記第２計測信号から２つの第２位相変化候補値を算出し、そのうちの一方を第２位相変化値と判断する計測部と、
前記第１位相変化値と前記第２位相変化値とのうちいずれか一方を位相変化値として選択する選択部と、を備える検体センサ。
【請求項２】
前記第１信号増幅部は、ローノイズアンプである、請求項１記載の検体センサ。
【請求項３】
前記リファレンス信号出力部と前記分岐部との間に位置し、前記リファレンス信号出力部からの前記リファレンス信号を増幅する第２信号増幅部をさらに備える、請求項１または２に記載の検体センサ。
【請求項４】
前記第２信号増幅部は、ローノイズアンプである、請求項３記載の検体センサ。
【請求項５】
前記計測部は、前記２つの第１位相変化候補値と前記２つの第２位相変化候補値とのうち最も値が近い組合せを成すものを前記第１位相変化値および前記第２位相変化値とする、請求項１〜４のいずれかに記載の検体センサ。
【請求項６】
前記選択部は、前記第１位相変化値および前記第２位相変化値のうち対応する前記計測信号の出力値が基準値に近い方を前記位相変化値として選択する、請求項１〜５のいずれかに記載の検体センサ。
【請求項７】
前記選択部は、前記第１位相変化値と前記第２位相変化値とのうち、前記第１計測信号の軌跡と前記第２計測信号の軌跡との２つの交点の強度の間に位置するものを前記位相変化値として選択する、請求項１〜５のいずれかに記載の検体センサ。
【請求項８】
前記分岐部は、前記複数の信号のうち少なくとも１つの位相を異なる（±１８０°を除く）ようにする、請求項１〜７のいずれかに記載の検体センサ。
【請求項９】
前記検出信号出力部は、
圧電性を有する第１基板と、
前記第１基板上に配置され、前記標的の吸着または前記標的との反応に応じて変化する検出部と、
前記第１基板上にそれぞれ配置された、前記検出部に向かって第１弾性波を発生させる検出第１ＩＤＴ電極、および、前記検出部を通過した前記第１弾性波を受ける検出第２ＩＤＴ電極と、を有する、請求項１〜８のいずれかに記載の検体センサ。
【請求項１０】
前記検出信号は、前記検出部を通過した前記第１弾性波を前記検出第２ＩＤＴ電極で受けて得られた交流信号である、請求項９に記載の検体センサ。
【請求項１１】
前記リファレンス信号出力部は、
圧電性を有する第２基板と、
前記第２基板上に配置され、前記標的の吸着しないまたは前記標的と反応しないリファレンス部と、
前記第２基板上にそれぞれ配置された、前記リファレンス部に向かって第２弾性波を発生させるリファレンス第１ＩＤＴ電極、および、前記リファレンス部を通過した前記第２弾性波を受けるリファレンス第２ＩＤＴ電極と、を有する、請求項１〜１０のいずれかに記載の検体センサ。
【請求項１２】
前記リファレンス信号は、前記リファレンス部を通過した前記第２弾性波を前記リファレンス第２ＩＤＴ電極で受けて得られた交流信号である、請求項１１に記載の検体センサ。
【請求項１３】
前記第１基板と前記第２基板とが一体に形成されており、
前記検出部、前記検出第１ＩＤＴ電極、および前記検出第２ＩＤＴ電極が配置された検出素子領域と、前記リファレンス部、前記リファレンス第１ＩＤＴ電極、および前記リファレンス第２ＩＤＴ電極が配置されたリファレンス素子領域との間に、基準電位線をさらに備える、請求項１１または１２に記載の検体センサ。
【請求項１４】
前記検出第１ＩＤＴ電極、前記検出第２ＩＤＴ電極、前記リファレンス第１ＩＤＴ電極、および前記リファレンス第２ＩＤＴ電極は、それぞれ一対の櫛歯状電極からなり、前記一対の櫛歯状電極の一方がそれぞれ前記基準電位線に接続されている、請求項１３に記載の検体センサ。
【請求項１５】
前記計算部は、前記第１計測信号および前記第２計測信号を連続的に測定する、請求項１〜１４のいずれかに記載の検体センサ。
【請求項１６】
前記検出信号出力部および前記リファレンス信号出力部の少なくとも一方は複数存在する、請求項１〜１５のいずれかに記載の検体センサ。
【請求項１７】
前記分岐部は複数存在する、請求項１〜１６のいずれかに記載の検体センサ。
【請求項１８】
前記検出信号出力部および前記リファレンス信号出力部と前記分岐部とを選択的に接続可能なスイッチ、をさらに備える請求項１６または１７に記載の検体センサ。
【請求項１９】
前記分岐部は、前記検出信号および前記リファレンス信号のそれぞれを３つ以上の信号に分岐する、請求項１〜１８のいずれかに記載の検体センサ。
【請求項２０】
前記計算部は、前記３つ以上の信号のうち２つずつを用いてヘテロダイン方式によって３つ以上の計測信号を得る、請求項１９に記載の検体センサ。
【請求項２１】
標的を備えた検体を、前記標的の吸着または前記標的との反応に応じて変化する検出信号を出力する検出信号出力部、および前記検出信号に対する基準信号であるリファレンス信号を出力するリファレンス信号出力部に供給する検体供給工程と、
前記検出信号および前記リファレンス信号をそれぞれ複数の信号に分岐する分岐工程と、
第１信号増幅部によって増幅された検出信号から分岐された信号と前記リファレンス信号から分岐された信号とからヘテロダイン方式によって第１計測信号を得る第１計算工程と、
第１信号増幅部によって増幅された検出信号から分岐された他の信号と前記リファレンス信号から分岐された他の信号とからヘテロダイン方式によって第２計測信号を得る第２計算工程と、
前記第１計測信号から２つの第１位相変化候補値を算出し、そのうちの一方を第１位相変化値と判断し、前記第２計測信号から２つの第２位相変化候補値を算出し、そのうちの一方を第２位相変化値と判断する計測工程と、
前記第１位相変化値と前記第２位相変化値とのうちいずれか一方を位相変化値として選択する選択工程と、を備える検体センシング方法。
【請求項２２】
前記第１信号増幅部は、ローノイズアンプである、請求項２１記載の検体センシング方法。
【請求項２３】
前記第１計算工程は、前記第１信号増幅部によって増幅された検出信号から分岐された信号と第２信号増幅部によって増幅されたリファレンス信号から分岐された信号とからヘテロダイン方式によって第１計測信号を得、前記第２計算工程は、前記第１信号増幅部によって増幅された検出信号から分岐された他の信号と第２信号増幅部によって増幅されたリファレンス信号から分岐された他の信号とからヘテロダイン方式によって第２計測信号を得る、請求項２１または２２記載の検体センシング方法。
【請求項２４】
前記第２信号増幅部は、ローノイズアンプである、請求項２３記載の検体センシング方法。
【請求項２５】
前記計測工程は、前記２つの第１位相変化候補値と前記２つの第２位相変化候補値とのうち最も値が近い組合せを成すものを前記第１位相変化値および前記第２位相変化値とする、請求項２１〜２４のいずれかに記載の検体センシング方法。
【請求項２６】
前記選択工程は、前記第１位相変化値と前記第２位相変化値とのうち前記計測信号の値が基準値に近い方を前記位相変化値として選択する、請求項２１〜２５のいずれかに記載の検体センシング方法。
【請求項２７】
前記選択工程は、前記第１位相変化値と前記第２位相変化値とのうち、前記第１計測信号の軌跡と前記第２計測信号の軌跡との２つの交点の強度の間に位置するものを前記位相変化値として選択する、請求項２１〜２５のいずれかに記載の検体センシング方法。
【請求項２８】
前記第１計算工程および前記第２計算工程は、前記第１計測信号および前記第２計測信号を連続的に測定する、請求項２１〜２７のいずれかに記載の検体センシング方法。
【請求項２９】
前記分岐工程は、前記検出信号および前記リファレンス信号のそれぞれを３つ以上の信号に分岐する、請求項２１〜２８のいずれかに記載の検体センシング方法。
【請求項３０】
前記第１計算工程および前記第２計算工程を含む計算工程は、前記３つ以上の信号のうち２つずつを用いてヘテロダイン方式によって３つ以上の計測信号を得る、請求項２９に記載の検体センシング方法。